(57)【要約】      （修正有）【課題】風によって幟本体がばたばたすることがないし、捲れ上がったり、ポールに巻き付いたりするすることもないので、広告、宣伝文字等の標識部分を確実に目視させることができる。また、強風によって幟本体が損傷したり、幟自体が転倒することがないので耐久性と安全性に優れている風向き追随型幟を提供する。【解決手段】ポール１の上端側に設けた上部取付具２によって支持され、横方向に突出する上横棒６は回動可能になっている。ポール１の下方に設けた下部取付具７は上、下ストッパ８、９によって軸方向に変位不能になっている。下部取付具７に下横棒１０が横方向に突設してあり、回動可能になっている。ポール１及び上部取付具２と下横棒１０間に幟本体１１が複数の乳１１Ｂ、１１Ｃを介して張設してある。【選択図】図１
0003103977.tif 000002
【実用新案登録請求の範囲】
【請求項１】
ポールと、該ポールの上端側に設けた上部取付具と、該上部取付具から横方向に突設され、該ポールに対して回動可能な上横棒と、該上横棒から下方に離間して前記ポールに設けられた下部取付具と、該下部取付具から横方向に突設され、前記ポールに対して回動可能な下横棒と、該下横棒及び上横棒の間に張設した幟本体とから構成してなる上下連動式風向き追随型幟。
【請求項２】
前記下部取付具は、前記ポールに対して軸方向の高さ設定が可能に設けてあることを特徴とする請求項１記載の上下連動式風向き追随型幟。
【考案の詳細な説明】
【技術分野】
【０００１】
本考案は、主として屋外で広告、宣伝や各種の案内等に使用する幟に関し、特に強風時にも幟本体の標識文字等を確実に目視させることができるし、耐久性にも優れている上下連動式風向き追随型幟に関する。
【背景技術】
【０００２】
従来、主として屋外における広告、宣伝の手段として幟は広く用いられている。従来の幟はコンクリート製支持台に立設するポールと、該ポールの上端側に設けた支持具と、該支持具から横方向に突設した横棒と、該横棒とポールに乳を介して張設した幟本体とから大略構成してある。しかし、この構成の幟は、幟本体の上側は横棒に乳を介して支持されているのに対し、その下側部分は乳を介してポールに緩やかに係合しているだけである。このため、風を受けた時に幟本体の下側部分が風で捲れ上がったり、ポールに絡み付いたりして標識文字等を目視できないという欠点がある。また、風で「ばたばた」と旗めくために、幟本体が裂けてしまうという欠点、幟自体が転倒してしまうという欠点があった。
【０００３】
そこで、強風が吹いても旗を常に拡げた状態に保持するのぼりの旗止めが提案されている（特許文献１）。該ぼりの旗止めは、ポール１の上部に、旗の上部側を支持する上部旗止め具３と、ポール１の長さ方向中間に旗のポール１側の下側角隅を係止する下部旗止め具７を備えた構成からなるものである。
【特許文献１】特開平１０−３９８１５号公報
【考案の開示】
【考案が解決しようとする課題】
【０００４】
上述した従来技術は風に対する相応の追随性は有するが、旗の下角隅の１か所のみを乳を介してポール１で支持している。このため、既存の幟と同様に旗の下側部分が風に煽られてばたばたしてしまうという欠点、捲れ上がったり、ポール１に絡み付いたりするという欠点があるし、標識文字等を目視できないという問題が残っている。また、強風による旗のばたつきで当該下角隅部分が裂けてしまったり、幟自体が転倒してしまうという問題も残っている。
【０００５】
本考案は、上述した従来技術の欠点や問題点に鑑みなされたもので、主として屋外での広告、宣伝や各種の案内等に使用する時に風があっても、幟本体がばたつくことがないし、捲れ上がったり、ポールに巻き付いたりすることもないので標識文字等を確実に目視させることができ、強風時にも幟本体がばたつきのために損傷したり、更には幟自体が転倒したりするといった問題がないので耐久性と安全性に優れている上下連動式風向き追随型幟を提供することを目的とする。
【課題を解決するための手段】
【０００６】
上述した課題を解決するために構成した本考案の手段は、ポールと、該ポールの上端側に設けた上部取付具と、該上部取付具から横方向に突設され、該ポールに対して回動可能な上横棒と、該上横棒から下方に離間して前記ポールに設けられた下部取付具と、該下部取付具から横方向に突設され、前記ポールに対して回動可能な下横棒と、該下横棒及び上横棒の間に張設した幟本体とからなる。
【０００７】
そして、前記下部取付具は、前記ポールに対して軸方向の高さ設定が可能に設けるとよい。この構成により、縦方向の長さの異なる幟本体に対応することができる。
【考案の効果】
【０００８】
本考案は上述の如く構成したから、下記の諸効果を奏する。
（１）幟本体を支持する上下の横棒はポールに対して回動可能に設け、強風時にも上下の横棒が幟本体を介して連動可能にしてあるから、屋外での広告、宣伝や各種の案内等に使用する時に風があっても、幟本体が受ける風向きに追随して上下の横棒も回動することにより、幟本体が風に煽られてばたばたすることがない。このように、幟本体は風に煽られてばたつかないから、横棒が折れたり、幟本体が裂けたりすることや、幟自体が転倒することもなく、耐久性と安全性に優れている。
（２）上記と同様の理由から、幟本体が風に煽られてばたつくことがなく、下側部分が捲れたり、ポールに巻き付いたりすることがないので標識文字や図形を確実に目視させることができる。
（３）幟本体は下側部分も下横棒で支持することにより風力を均等に受けるようにしたから、幟本体の耐久性を高めることができる。
（４）下部取付具は、ポールに対して軸方向の高さ設定が可能に設けることにより、縦方向の長さの異なる幟本体に対応することが可能であり、使用上利便である。
【考案を実施するための最良の形態】
【０００９】
以下、本考案の実施の形態を図面に基づき詳述する。図において、１はコンクリート製支持台Ａに立設するポールで、該ポール１は中空の鉄製パイプやアルミニュウム製パイプからなっている。
【００１０】
２は前記ポール１の上端側に締着した上部取付具を示し、該上部取付具２はポール１の上端側１Ａに着脱可能に嵌着し、固定ねじ３Ａによって固定した嵌着筒３と、ポール１の中心軸Ｘ−Ｘに対して直交する方向に棒挿着穴４Ａが形成してあり、該嵌着筒３に回動可能に設けられて抜け止めピン４Ｂによって係止された回動支持筒４と、該回動支持筒４に螺着した横棒締付けねじ５とから構成してある。
【００１１】
６は前記回動支持筒４の棒挿着穴４Ａに基端側６Ａを挿通し、横棒締付けねじ５によって固定されることにより中心軸Ｘ−Ｘに対して直角方向に伸長する合成樹脂製の上横棒で、該上横棒６は断面四角形の角棒からなり、先端側６Ｂには後述する幟本体１１の上乳１１Ｂを係止するための係止片６Ｃが設けてある。そして、上横棒６はポール１に対して略水平方向に回動可能になっている。
【００１２】
７は前記上横棒６から下方に離間してポール１に設けられた下部取付具を示し、該下部取付具７はポール１に対して回動可能に嵌合する可動筒部７Ａと、該可動筒部７Ａの外面から一体に突設した棒支持部７Ｂと、該棒支持部７Ｂに横方向に形成された角穴からなる棒挿通穴Ｃと、棒支持部７Ｂに螺合され、該棒挿通穴７Ｃに向けて進退する横棒締付けねじ７Ｄとから構成してある。
【００１３】
８、９は前記下部取付具７をポール１に対して軸方向に変位不能に係止する上側ストッパと下側ストッパを示す。該両ストッパ８、９は図５に示すように平面略Ｃ字状の筒体からなっており、合成樹脂で成形することによりポール１に押圧すると嵌合してポール１を拘持する弾性を有している。そして、両ストッパ８、９はポール１に滑らせて軸方向高さを調節することにより、下部取付具７の高さ、即ち上部取付具２と下部取付具７の間隔を任意に設定することができる。
【００１４】
１０は下部取付具７に基端側１０Ａが支持された合成樹脂製の下横棒を示す。該下横棒１０は上横棒６と同様に四角形の棒からなっており、先端側６Ｂに幟本体１１の下乳１１Ｂを係止するための係止片１０Ｃが設けてある。そして、上述の構成からなる下横棒１０は下部取付具７によってポール１に対して略水平方向に回動可能になっている。
【００１５】
１１は下横棒１０及び上横棒６の間に張設した幟本体で、該幟本体１１は縦長に形成し、広告文字等を表した布製の幟部１１Ａと、該幟部１１Ａの上、下縁に縫着し、上、下の横棒６、１０を挿通する上乳及び下乳１１Ｂ、１１Ｂ、・・・と、幟部１１Ａの一側横縁に縫着し、ポール１を挿通する横乳１１Ｃ、１１Ｃ、・・・とから構成してある。
【００１６】
本実施の形態に係る上下連動式風向き追随型幟は上述の構成からなっており、幟本体１１の上、下両縁を支持する上横棒６及び下横棒１０はポール１に対して回動可能になっているから、幟本体１１は風向きに追随して速やかに動くことができる結果、風に煽られてばたつくことがない。また、幟本体１１は従来技術の幟と異なって下側縁も下横棒１０で支持している。これにより、風を受けた幟部１１Ａが捲れ上がったり、ポール１に巻き付いたりすることがないので、幟部１１Ａに表してある標識文字等を何時でも明確に目視させることができる。
【００１７】
また、幟本体１１は風に追随して動くことによりばたつく現象を解決したから、幟部１１Ａが上、下側で捩じられたりして無理な力を受けることがないし、幟部１１Ａ及びこれに縫着してある上、下の乳１１Ｂ、１１Ｂ、・・・や横乳１１Ｃ、１１Ｃ、・・が早期に傷むこともなく耐久性に優れている。更に、強風を受けた場合でも幟本体１１は風に追随することにより、ポール１が転倒したりこれにより歩行者に怪我をさせるといった事態を解消することができるので安全性に優れている。
【００１８】
なお、本実施の形態ではポール１には長尺の１本のパイプを用いたが、複数段からなる伸縮型のポールを用いてもよいものである。
【図面の簡単な説明】
【００１９】
【図１】本考案の実施の形態に係る上下連動式風向き追随型幟の全体構成図である。
【図２】上部取付具の拡大断面図である。
【図３】下部取付具の拡大断面図である。
【図４】図３中のＩＶ−ＩＶ矢示方向断面図である。
【図５】ストッパの平面図である。
【符号の説明】
【００２０】
１        ポール
２        上部取付具
６        上横棒
７        下部取付具
１０      下横棒
１１      幟本体
【図１】
0003103977.tif 000003
【図２】
0003103977.tif 000004
【図３】
0003103977.tif 000005
【図４】
0003103977.tif 000006
【図５】
0003103977.tif 000007